(57)【要約】【課題】表示画面をプリント設定の対象画像を含むプリント設定画面へ遷移させるタイミングを適正化することができるデジタルカメラを提供する。【解決手段】再生モードでの撮影画像に対するプロテクトやフォーマット処理、および撮影モードでの撮影画像の記録処理時などにおいて、メモリカードに対するファイルアクセス（書き込み）の要求が発生する。この要求などに応答して、メモリカード内のファイルが他のアクセスから遮断された状態となるとともに、ファイルの書き込みが開始する。その後、ファイルの書き込みが完了するととともに、メモリカード内のファイルに対して種々のアクセスが可能な状態となる。つまり、ファイルアクセス（書き込み）中には、プリントボタンの押下操作に応答してメモリカード内の画像ファイルを読み出してプリントモードに遷移する動作が禁止される。【選択図】図２０
2005278100.tif 000002
【特許請求の範囲】
【請求項１】
記録媒体に記録された撮影画像に対するプリント設定が可能なデジタルカメラであって、
前記撮影画像を表示するための表示手段と、
前記撮影画像に対するプリント設定操作を受け付ける操作手段と、
前記プリント設定操作に応答して、前記表示手段による表示画面を、前記撮影画像の表示を含む当該撮影画像に対するプリント設定を行うためのプリント設定画面に遷移させる制御手段と、
前記記録媒体に格納されるファイルに対するファイルアクセスの実行に関する状態を判別する判別手段と、
を備え、
前記制御手段が、
前記判別手段による判別結果に基づいて、前記ファイルアクセスの実行中には、プリント設定画面への遷移を禁止することを特徴とするデジタルカメラ。
【請求項２】
記録媒体に記録された撮影画像に対するプリント設定が可能なデジタルカメラであって、
前記撮影画像を表示するための表示手段と、
前記撮影画像に対するプリント設定操作を受け付ける操作手段と、
前記プリント設定操作に応答して、前記表示手段による表示画面を、前記撮影画像の表示を含む当該撮影画像に対するプリント設定を行うためのプリント設定画面に遷移させる制御手段と、
前記記録媒体に格納されるファイルに対するファイルアクセスの実行に関する状態を判別する判別手段と、
を備え、
前記制御手段が、
前記判別手段による判別結果に基づいて、前記ファイルアクセスの実行中には、プリント設定画面への遷移を禁止するとともに、前記プリント設定操作に応答して当該プリント設定操作がなされたことを操作情報として一時的に記憶し、当該ファイルアクセスの終了後に、前記操作情報に基づいて前記表示画面を前記プリント設定画面に遷移させることを特徴とするデジタルカメラ。
【請求項３】
請求項１または請求項２に記載されたデジタルカメラであって、
前記制御手段が、
前記ファイルアクセスが前記記録媒体に記録されている撮影画像の読出し処理によるものである場合には、前記ファイルアクセスの実行中におけるプリント設定画面への遷移を許可することを特徴とするデジタルカメラ。
【請求項４】
請求項１から請求項３のいずれかに記載のデジタルカメラであって、
前記ファイルアクセスが、
前記記録媒体に記録されている撮影画像に対する削除処理時またはプロテクト設定処理時に発生することを特徴とするデジタルカメラ。
【請求項５】
請求項１から請求項４のいずれかに記載されたデジタルカメラであって、
被写体に係る撮影画像を取得するための撮影モード、および前記記録媒体に記録されている撮影画像を前記表示手段によって再生表示する再生モードを含む複数のモード間におけるモード遷移を実行するモード遷移手段、
を備え、
前記ファイルアクセスが、
前記モード遷移時に発生することを特徴とするデジタルカメラ。
【請求項６】
請求項１から請求項５に記載されたデジタルカメラであって、
前記記録媒体が、
前記デジタルカメラに対して着脱可能であり、
前記ファイルアクセスが、
前記デジタルカメラに対する前記記録媒体の装着時に発生することを特徴とするデジタルカメラ。
【発明の詳細な説明】
【技術分野】
【０００１】
本発明は、デジタルカメラについて、撮影画像に対するプリント設定を実施するための技術に関する。
【背景技術】
【０００２】
近年、デジタルカメラが急激に普及し、デジタルカメラで得られる撮影画像をリムーバブルメモリを介してプリンタで直接出力することができる技術が実現されている。そして、リムーバブルメモリに撮影画像に係るプリント設定データを記録するファイルフォーマットとしては、ＤＰＯＦ（Digital Print Order Format）（登録商標）が知られている。
【０００３】
しかし、このようなデジタルカメラでは、撮影画像に対するプリント設定を行うには非常に煩雑な操作を要するのが一般的である。そこで、ディスプレイ上への撮影画像（静止画像）の表示中に、ＤＰＯＦ専用スイッチを押下するだけで、表示画像に対するプリント設定を行うことができる技術が提案されている（例えば、特許文献１）。そして、その技術では、ＤＰＯＦ専用スイッチの押下が有効に働くのは、プリント設定の対象画像を特定できる静止画表示中となっている。
【０００４】
このような技術に関する先行技術文献としては、以下のようなものがある。
【０００５】
【特許文献１】特開２００２−２２３３７９号公報
【発明の開示】
【発明が解決しようとする課題】
【０００６】
しかしながら、例えば、所定の操作に応答して、プリント設定の対象画像を表示しつつプリント設定を行うことができるプリント設定画面を表示するような場合には、メモリカードに格納される画像ファイルの更新中に、プリント設定画面を表示させるために画像ファイルを読出すためのファイルアクセスが行われると、ファイルアクセスの競合によって画像ファイルの更新が正確に行われず、画像ファイルが実質的に壊れてしまうなどといった問題を生じる。すなわち、特定の処理が実行されている場合には、ディスプレイ上の表示画面をプリント設定画面に遷移させるべきでないタイミングが存在する。
【０００７】
ところが、上記背景技術で提案されている技術では、表示画面をプリント設定画面に遷移させるべきでないタイミングについては何ら考慮されていなかった。
【０００８】
本発明は、上記課題に鑑みてなされたものであり、表示画面をプリント設定の対象画像を含むプリント設定画面へ遷移させるタイミングを適正化することができるデジタルカメラを提供することを目的とする。
【課題を解決するための手段】
【０００９】
上記の課題を解決するために、請求項１の発明は、記録媒体に記録された撮影画像に対するプリント設定が可能なデジタルカメラであって、前記撮影画像を表示するための表示手段と、前記撮影画像に対するプリント設定操作を受け付ける操作手段と、前記プリント設定操作に応答して、前記表示手段による表示画面を、前記撮影画像の表示を含む当該撮影画像に対するプリント設定を行うためのプリント設定画面に遷移させる制御手段と、前記記録媒体に格納されるファイルに対するファイルアクセスの実行に関する状態を判別する判別手段とを備え、前記制御手段が、前記判別手段による判別結果に基づいて、前記ファイルアクセスの実行中には、プリント設定画面への遷移を禁止することを特徴とする。
【００１０】
また、請求項２の発明は、記録媒体に記録された撮影画像に対するプリント設定が可能なデジタルカメラであって、前記撮影画像を表示するための表示手段と、前記撮影画像に対するプリント設定操作を受け付ける操作手段と、前記プリント設定操作に応答して、前記表示手段による表示画面を、前記撮影画像の表示を含む当該撮影画像に対するプリント設定を行うためのプリント設定画面に遷移させる制御手段と、前記記録媒体に格納されるファイルに対するファイルアクセスの実行に関する状態を判別する判別手段とを備え、前記制御手段が、前記判別手段による判別結果に基づいて、前記ファイルアクセスの実行中には、プリント設定画面への遷移を禁止するとともに、前記プリント設定操作に応答して当該プリント設定操作がなされたことを操作情報として一時的に記憶し、当該ファイルアクセスの終了後に、前記操作情報に基づいて前記表示画面を前記プリント設定画面に遷移させることを特徴とする。
【００１１】
また、請求項３の発明は、請求項１または請求項２に記載されたデジタルカメラであって、前記制御手段が、前記ファイルアクセスが前記記録媒体に記録されている撮影画像の読出し処理によるものである場合には、前記ファイルアクセスの実行中におけるプリント設定画面への遷移を許可することを特徴とする。
【００１２】
また、請求項４の発明は、請求項１から請求項３のいずれかに記載のデジタルカメラであって、前記ファイルアクセスが、前記記録媒体に記録されている撮影画像に対する削除処理時またはプロテクト設定処理時に発生することを特徴とする。
【００１３】
また、請求項５の発明は、請求項１から請求項４のいずれかに記載されたデジタルカメラであって、被写体に係る撮影画像を取得するための撮影モード、および前記記録媒体に記録されている撮影画像を前記表示手段によって再生表示する再生モードを含む複数のモード間におけるモード遷移を実行するモード遷移手段を備え、前記ファイルアクセスが、前記モード遷移時に発生することを特徴とする。
【００１４】
また、請求項６の発明は、請求項１から請求項５に記載されたデジタルカメラであって、前記記録媒体が、前記デジタルカメラに対して着脱可能であり、前記ファイルアクセスが、前記デジタルカメラに対する前記記録媒体の装着時に発生することを特徴とする。
【発明の効果】
【００１５】
以上説明したように、請求項１に記載された発明によれば、記録媒体に対するファイルアクセスの最中には、プリント設定をするための操作に応答して表示画面がプリント設定の対象画像を含むプリント設定画面へ遷移する動作が禁止されるような構成とすることで、例えば、ファイルアクセスの競合を防止することができるため、ファイルが壊れるといった不具合等を防止することができる。すなわち、プリント設定画面への遷移タイミングを適正化することができる。
【００１６】
また、請求項２に記載された発明によれば、記録媒体に対するファイルアクセスの最中には、プリント設定をするための操作があれば、その操作があったことを一時的に記憶し、ファイルアクセスが終了した後に、表示画面がプリント設定の対象画像を含むプリント設定画面に遷移するような構成とすることで、例えば、ファイルアクセスの競合を防止することができるため、ファイルが壊れるといった不具合等を防止することができる。すなわち、プリント設定画面への遷移タイミングを適正化することができる。
【００１７】
また、請求項３に記載された発明によれば、記録媒体に対するファイルアクセスが画像の読出しによるものである場合には、ファイルアクセスの最中であっても、例外的に、プリント設定をするための操作に応答して表示画面がプリント設定の対象画像を含むプリント設定画面に遷移することを許容するような構成とすることで、ユーザーの意図を優先させることができるため、効率良くプリント設定を実施することができる。
【００１８】
また、請求項４に記載された発明によれば、撮影画像に対する削除処理やプロテクト設定処理を行っている場合には、プリント設定をするための操作に応答して表示画面がプリント設定の対象画像を含むプリント設定画面へ遷移する動作が禁止されるような構成とすることで、例えば、ファイルアクセスが競合してファイルが壊れるといった事態を防止することができたり、削除中の撮影画像を読出すといった矛盾する動作などを防止することができる。すなわち、プリント設定画面への遷移タイミングを適正化することができる。
【００１９】
また、請求項５に記載された発明によれば、撮影モードや再生モードを含む複数のモード間におけるモード遷移を行っている場合には、プリント設定をするための操作に応答して表示画面がプリント設定の対象画像を含むプリント設定画面へ遷移する動作が禁止されるような構成とすることで、例えば、誤操作によって、途中まで行った処理が無駄になるのを防止して、操作性を向上させることができる。
【００２０】
また、請求項６に記載された発明によれば、デジタルカメラに対して記録媒体が装着された際には、プリント設定をするための操作に応答して表示画面がプリント設定の対象画像を含むプリント設定画面へ遷移する動作が禁止されるような構成とすることで、途中まで行った処理が無駄になるのを防止して、操作性を向上させることができる。
【発明を実施するための最良の形態】
【００２１】
以下、本発明の実施形態を図面に基づいて説明する。
【００２２】
＜構成概要＞
図１および図２は、本発明の実施形態に係るデジタルカメラ１の外観構成を示す図である。図１は正面側からみた概略斜視図であり、図２は背面側からみた概略斜視図である。
【００２３】
図１および図２に示すように、デジタルカメラ１は、薄型の略直方体形状を有している。
【００２４】
図１に示すように、デジタルカメラ１は、その正面側に撮影レンズ２と光学ファインダー４とフラッシュ６とを備えており、その上面側に電源ボタン３とシャッタボタン（レリーズボタン）９とマイク１２とを備えている。また、図２に示すように、デジタルカメラ１は、その背面側に液晶表示部（以下、ＬＣＤという。）５とボタン群７，８とモード切替ボタン１１とプリントボタン１３とを備えている。ボタン群７は十字カーソルボタン７ａ〜７ｅ（以下では、７ａを上ボタン、７ｂを下ボタン、７ｃを左ボタン、７ｄを右ボタン、および７ｅを中央(実行)ボタンとも称する）で構成されており、ボタン群８はメニューボタン８ａと液晶モニターボタン８ｂとフラッシュモードボタン８ｃとを有している。さらに、図１および図２に示すように、デジタルカメラ１は、その側方の面に蓋１４とＤＣ入力端子１５とＵＳＢ端子１６とＡＶ出力端子１７とアクセスＬＥＤ１９とを備えている。
【００２５】
後述するように、デジタルカメラ１は、撮影レンズ２からの被写体像をＣＣＤ（撮像素子）２０（図３）によって光電変換することなどによって、被写体に関する画像データを取得する。
【００２６】
また、電源ボタン３は、電源のオン操作およびオフ操作を受け付けるために用いられる。具体的には、電源ボタン３を押下するごとにオン状態への移行とオフ状態への移行とが交互に繰り返される。
【００２７】
シャッタボタン９はユーザ（操作者）による半押し状態（以下、Ｓ１状態とも称する）と全押し状態（以下、Ｓ２状態とも称する）とを区別して検出可能な２段階押し込みスイッチとなっており、半押し(Ｓ１)状態のときに自動合焦制御を開始し、全押し(Ｓ２)状態のときに記録用画像を撮影するための本撮影動作を開始する。
【００２８】
ＬＣＤ５は、本撮影動作前のプレビュー表示（ライブビュー表示とも称する）及び記録画像の再生表示等を行う。このＬＣＤ５は、所定数（ここでは３２０×２４０）の表示画素を有しており、カラー画像を表示することができる。
【００２９】
ライブビュー表示では、デジタルカメラ１の電源オン後や本撮影が完了すると、１／３０秒ごとに低解像度で被写体の撮像を繰り返し、撮像画像をＬＣＤ５に動画的態様で表示する。これにより、操作者は、ＬＣＤ５におけるライブビュー表示によって撮影画像における被写体の位置および大きさ等を知覚し、フレーミング動作を行うことができる。なお、ＬＣＤ５を用いることなく光学ファインダー４のみを用いてフレーミング動作を行うことも可能である。
【００３０】
また、モード切替ボタン１１は、これを押下することにより、１コマ撮影モード、連写モード、動画モードおよび再生モードをサイクリックに切り替えられる（図１６参照）。ここで、１コマ撮影モード、連写モードおよび動画モードは、撮影モードに含まれる。この撮影モードとは、被写体に係る撮影画像を取得するために写真撮影を行うモードであり、再生モードとは、メモリカードに記録された撮影画像をＬＣＤ５に再生表示するモードである。本実施形態のデジタルカメラ１では、電源ボタン３の押下による電源オン時には撮影モードに設定されているが、モード切替ボタン１１を押下することよって再生モードに切替えることができ、さらにモード切替ボタン１１を押下することにより撮影モードの１コマ撮影モードに移行する。
【００３１】
メニューボタン８ａは、ＬＣＤ５へのメニューの表示および非表示を切り替える機能を有している。たとえば、各動作モードの初期画面においてメニューボタン８ａが押下されるごとに、メニュー画面と非メニュー画面（ライブビューあるいは再生画像等の表示画面）とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行(中央)ボタン７ｅを押下することによって、その選択肢に対応する設定動作等が実行される。このような操作によって、各種撮影パラメータの設定等を行うことが可能である。
【００３２】
液晶モニターボタン８ｂは、液晶モニタであるＬＣＤ５の表示・非表示を切り替えるためのボタンである。液晶モニターボタン８ｂが押下されるごとに、ＬＣＤ５に画像等が表示された状態（表示状態）と表示されない状態（非表示状態）とが交互に切り替わる。非表示状態にしておけば消費電力を低減できる。
【００３３】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００３４】
また、マイク１２は、動画撮影、ボイスメモ、ボイスレコーディング、アフターレコーディング（アフレコ）時において、音声データを取得する（録音する）ために用いられる。
【００３５】
プリントボタン１３は、プリントモード（後述）に移行させるためのボタンである。つまり、プリントボタン１３は、撮影画像に対してプリント設定を行うためのプリントモードに移行させる操作（プリント設定操作とも称する）を受け付ける。よって、ここでは、全体制御部５０により、モード切替ボタン１１やプリントボタン１３の押下操作に応答して、撮影・再生モードおよびプリントモードを含む複数のモード間におけるモード遷移を実行する。
【００３６】
蓋１４は、電池室およびメモリカード装着部を覆う部分に設けられている。言い換えれば、蓋１４の内部側には、電源電池ＢＴを収容する電池室と着脱自在な記録媒体（可搬性記録媒体）であるメモリカード９０を装着するメモリカード装着部とが設けられている。電源電池ＢＴおよびメモリカード９０は、それぞれ、電池室およびメモリカード装着部に対して着脱自在に装着される。本撮影によって得られる画像データ等は、この挿入装着部にセットされるメモリカード９０に記録される。また、デジタルカメラ１は、電源電池ＢＴからの電力供給を受けることもできるし、ＤＣ入力端子１５を用いてＡＣアダプタ（不図示）等からの電力供給を受けることもできる。
【００３７】
ＵＳＢ端子１６は、パーソナルコンピュータ（パソコンとも略称する）等とのデータ通信を行うための端子である。ＵＳＢ端子１６にＵＳＢ規格のケーブル等を接続することによって外部機器（パソコン等）とのデータ通信を行うことができる。
【００３８】
ＡＶ出力端子１７は、テレビなどの外部映像音響機器（ＡＶ機器）に接続するための端子である。所定のＡＶコードを用いてこのＡＶ出力端子１７と外部映像音響機器側の入力端子とを接続することによって、その外部映像音響機器に画像および／または音声を出力することができる。
【００３９】
アクセスＬＥＤ１９は、メモリカード９０に対するファイルの書き込みや読込み、すなわちファイルアクセスを行っている状態を報知するものであり、ファイルアクセス中にアクセスＬＥＤ１９が点灯する。
【００４０】
次に、図３を参照しつつ、デジタルカメラ１の内部構成について説明する。図３は、デジタルカメラ１の内部機能を示すブロック図である。
【００４１】
ＣＣＤ（撮像素子）２０は、被写体像を撮影して電子的な画像信号を生成する撮像手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００４２】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００４３】
Ａ／Ｄ変換器２２は、画像信号の各画素信号を１２ビットのデジタル信号に変換するものである。変換後のデジタル信号は、画像データとして一時的にＲＡＭ５０ａ内のバッファメモリ５４に格納される。そして、バッファメモリ５４に保存された画像データに対して、次述する画像処理部５１による、ＷＢ（ホワイトバランス）処理、γ補正処理、および色補正処理等が施された後、圧縮／伸張部５２による圧縮処理等が施される。
【００４４】
また、マイク１２から得られる音声信号は、音声処理部５３に入力される。音声処理部５３に入力された音声信号は音声処理部５３内に設けられたＡ／Ｄ変換器（不図示）によりデジタル信号に変換され、一時的にバッファメモリ５４に格納される。
【００４５】
操作部３０は、上述した電源ボタン３、ボタン群７、８、シャッタボタン９、モード切替ボタン１１等を含む操作部であり、ユーザがデジタルカメラ１の設定状態を変更操作する際や撮影操作を行う際等に用いられる。
【００４６】
電源４０は、デジタルカメラ１に対する電力供給源である。デジタルカメラ１は、リチウムイオン電池などの二次電池を電源電池ＢＴとして用いて駆動される。
【００４７】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データおよび音声データを一時的に記憶する。
【００４８】
全体制御部５０は、画像処理部５１、圧縮／伸張部５２および音声処理部５３を有している。これらの各処理部５１，５２，５３は、マイクロコンピュータが所定のプログラムを実行することにより実現される機能部である。
【００４９】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮／伸張部５２は、画像データの圧縮処理および伸張処理を行う処理部である。圧縮方式としては、例えばＪＰＥＧ方式などが採用される。音声処理部５３は、音声データに対する各種のデジタル処理を施す処理部である。
【００５０】
このような構成を有する全体制御部５０によって、撮影モード、再生モードおよびプリントモードでの処理が行われる。例えば、撮影モードにおいてシャッターボタン９が操作者によって半押し（Ｓ１状態）されると、ＣＣＤ２０から出力される画像データに基づきＡＦ評価値を求め、周知の山登り方式によって合焦位置に撮影レンズを移動させる。また、ＣＣＤ２０で読みとった被写体の輝度情報に基づいて、本撮影時のシャッタースピードと絞りの値とオートホワイトバランスのゲイン設定値とを決定する。
【００５１】
一方、全体制御部５０は、撮影モードにおいてシャッタボタンが全押し（Ｓ２状態）されると、ＣＣＤ２０の解像度を高解像度に設定した後に被写体を撮像し、ＣＣＤ２０で取得された撮影画像データに基づき圧縮／伸張部５２で圧縮画像を生成する。そして、圧縮された高解像度の画像データは、記録媒体として機能するメモリカード９０に記録されることとなるが、このメモリカード９０におけるデータ構造を以下で説明する。
【００５２】
図４は、メモリカード９０のデータ配列を示す図である。メモリカード９０には、デジタルカメラ１によって記録された静止画像および動画像の各コマが順に配列して記憶される。各コマは、ファイル属性ＡＴとタグ情報ＴＧとＪｐｅｇ形式で圧縮された高解像度画像データＨＤ(１６００×１２００画素)とサムネイル表示用のサムネイル画像データＳＤ（３２０×２４０画素)とが記録されている。このファイル属性ＡＴでは、読み取り専用属性(Ｒ)、アーカイブ属性(Ａ)、システムファイル属性(Ｓ)および隠しファイル属性(Ｈ)が設定可能となっている。ユーザによってファイルのプロテクトが設定される場合には、読み取り専用属性が設定されることとなる。また、タグＴＧでは、ファイル名、撮影日時、撮影に使用したデジタルカメラのシリアルナンバーおよび画像データに関連付けされた音声ファイルの情報が記録されている。
【００５３】
また、モード切替ボタン１１の押下によって撮影モードから再生モードに移行すると、メモリカード９０内で最も大きなコマ番号の画像つまり直近に撮影された画像のデータが読み出された後、圧縮／伸張部５２でデータ伸張され、ＬＣＤ５に画像表示される。この再生モードでは、左ボタン７ｃ・右ボタン７ｄの押下によりコマの送り・戻しが可能である。
【００５４】
カードインタフェース（カードＩ／Ｆ）６０は、デジタルカメラ１側面の挿入装着部に対して装着されるメモリカード９０への画像データの書込み及び読出しを行うためのインタフェースである。
【００５５】
メモリカード９０に対する画像データの読み書き時には、圧縮／伸張部５２において例えばＪＰＥＧ方式で画像データの圧縮処理又は伸張処理が行われ、カードインタフェース６０を介して画像データがバッファメモリ５４とメモリカード９０との間で送受信される。また、音声データの読み書き時においてもカードインタフェース６０を介して音声データがバッファメモリ５４とメモリカード９０との間で送受信される。
【００５６】
なお、メモリカード９０内の画像ファイルに対する読み書きは、メモリカード９０内のデータファイルを管理するための情報を格納したテーブル（ファイル管理テーブル）ＦＴに基づいて実施される。例えば、メモリカード９０内の画像データの読み出しが要求されると、ファイル管理テーブルＦＴ内の情報を参照して、画像ファイルにアクセスすることで、画像データの読み出しを実施する。一方、メモリカード９０内への画像データの書き込みが要求されると、画像ファイルの作成などが実行されて、ファイル管理テーブルＦＴの情報が更新される。
【００５７】
さらに、デジタルカメラ１は、このカードインタフェース６０を用いて、画像および音声等のデータを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、制御プログラムを更新することなどが可能である。
【００５８】
また、ＵＳＢ端子１６などを介した外部機器（外部コンピュータなど）との通信によっても、画像あるいは音声などの各種のデータ、および制御プログラムなどを送受信することが可能である。たとえば、外部コンピュータの読取装置（光学ドライブ装置等）にセットされた記録媒体（ＣＤ−Ｒ／ＲＷ、ＣＤ−ＲＯＭなど）に記録された各種のデータおよびプログラム等を、ＵＳＢ端子１６を介して取得することが可能である。
【００５９】
＜プリントモードについて＞
プリントボタン１３がユーザによって押下されると、プリント設定を行うためのプリントモードに移行し、プリント設定画面が表示される。つまり、全体制御部５０が、ユーザーによるプリントボタン１３の押下操作に応答して、ＬＣＤ５による表示画面を、プリント設定画面に遷移させる。このプリント設定画面では、表示される撮影画像に対するプリント設定が可能となっている。
【００６０】
プリントモードでは、プリント設定に関するプリント注文ファイルが作成されるが、このプリント注文ファイルについて、まず説明する。
【００６１】
図５は、プリント注文ファイルＰｆを説明するための図である。
【００６２】
メモリカード９０には、撮影画像フォルダＦａ内に複数の画像ファイルＧｆが格納されるとともに、撮影画像フォルダＦａと異なるフォルダＦｂにプリント注文ファイルＰｆが格納されている。
【００６３】
このプリント注文ファイルＰｆは、図６に示すように、一般情報Ｄｆ１、ユーザー情報Ｄｆ２、プリントジョブ情報Ｄｆ３、画像ソース情報Ｄｆ４、各種設定情報Ｄｆ５およびベンダー情報Ｄｆ６で構成されている。ここで、ベンダー情報Ｄｆ６とは、デジタルカメラを製造するメーカー各社で独自に定義される情報である。
【００６４】
以上のプリント注文ファイルＰｆを作成することにより、プリント注文時のユーザーの労力を削減できるが、このプリント注文ファイルＰｆにおける各種の情報Ｄｆ１〜Ｄｆ６を設定するためのプリント設定画面を、次で説明する。
【００６５】
図７は、プリント設定画面を説明するための図である。
【００６６】
ＬＣＤ５に表示されるプリント設定画面Ｇｐでは、プリント対象の画像Ｇｑに重畳して、プリント注文する画像の合計枚数を表示する合計枚数表示Ｇｐ１と、現在ＬＣＤ５に表示されている画像に対するプリント注文枚数を表示する注文枚数表示Ｇｐ２とが表示される。つまり、ＬＣＤ５上に表示されるプリント設定画面は、プリント設定の対象となる撮影画像の表示やプリント設定に関する各種情報などを含む画面となっている。
【００６７】
一方、プリントボタン１３の押下によってプリントモードに移行すると、フラッシュモードボタン８ｃが保留ボタンとして機能し、且つ、液晶モニタボタン８ｂが削除ボタンとして機能することとなるが、プリント設定画面Ｇｐにおいては、これらの機能が割付けられたことを明示する「保留」表示Ｇｐ３および「削除」表示Ｇｐ４が行われる。
【００６８】
デジタルカメラ１においては、プリントイメージを優先するためにプリントサイズの縦横比に則して画像Ｇｑを表示するが、ＬＣＤ５の画面サイズおよびプリントサイズの縦横比が相違する場合には、例えばＬＣＤ５の画面の両端に余白部分Ｇｐｅ(平行斜線部)を表示して調整される。また、画像Ｇｑに対して撮影した日付の写し込みを行う場合には、写し込まれる画像の部位に例えば「'03／5／7」のような日付表示Ｇｐ５が行われる。
【００６９】
そして、図７に示すプリント設定画面Ｇｐにおいて、右ボタン７ｄまたはプリントボタン１３が押下されることによって、図８に示すように次の画像(コマ)Ｇｒが表示されることとなる(後で詳述)。
【００７０】
次に、プリントモードにおける動作を以下で説明する。
【００７１】
図９〜図１１は、プリント設定画面Ｇｐ(図７)をＬＣＤ５に表示するプリントモードの動作を説明するための図である。ここで、図９はユーザの操作に対する画面遷移の関係を示しており、図１０および図１１は、コマ番号(ｎ)の画像を表示するプリント設定画面ＧＮ１１を中心として他の画面に遷移する様子を示している。以下の説明では、コマ番号(ｎ)の画像を、プリントモードに移行した直後に最後(最大)のコマ番号を有する画像と考えることとする。なお、図１１において、参照符号がＧＮで始まるブロックは表示画面に関する状態を示しており、参照符号がＳＴで始まるブロックは、デジタルカメラ１の動作を示している。
【００７２】
以下では、図９に記載される各項目(１)〜(１１)毎に、図１０および図１１を参照しつつプリントモードの動作を説明する。
【００７３】
(１)左ボタン７ｃが押下されると、プリント設定画面で設定されている設定内容を確定させて、前のコマを表示するプリント設定画面に移行する。この場合には、左ボタン７ｃを押下する前の画像で選択されていたプリント注文枚数が、プリント合計枚数に加算され、合計枚数が更新される。
【００７４】
すなわち、図１１に示すコマ番号(ｎ)の画像を表示するプリント設定画面ＧＮ１１において、左ボタン７ｃが押下された場合には、コマ番号(ｎ)の画像に対するプリント注文の記録処理ＳＴ１２(後で詳述)を行い、コマ番号(ｎ−１)の画像のプリント設定画面ＧＮ１２に移行する。
【００７５】
具体的には、例えば、図８に示すようにプリント設定画面Ｇｐが表示される際に、左ボタン７ｃが押下された場合には、図１２に示すように、前のコマに該当する画像ＧｑがＬＣＤ５に表示されるとともに、合計枚数表示Ｇｐ１では、図８の合計枚数表示Ｇｐ１に示す「２１枚」よりも１枚増加した合計枚数「２２枚」が表示される。
【００７６】
(２)右ボタン７ｄが押下されると、プリント設定画面で設定されている設定内容を確定させて、次のコマを表示するプリント設定画面に移行する。この場合には、右ボタン７ｄを押下する前の画像で選択されていたプリント注文枚数が、プリント合計枚数に加算され、合計枚数が更新されることとなる。
【００７７】
すなわち、図１１に示すコマ番号(ｎ−１)の画像を表示するプリント設定画面ＧＮ１２において、右ボタン７ｄが押下された場合には、コマ番号(ｎ−１)の画像に対するプリント注文の記録処理ＳＴ１３(後で詳述)を行い、コマ番号(ｎ)の画像のプリント設定画面ＧＮ１１に移行する。
【００７８】
具体的には、例えば、図７に示すようにプリント設定画面Ｇｐが表示される際に、右ボタン７ｄが押下された場合には、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【００７９】
(３)上ボタン７ａが押下されると、図１０に示すように現在ＬＣＤ５に表示されているコマ(画像)のプリント枚数を増加させる。これにより、プリント枚数表示Ｇｐ２で示される枚数が増加することとなる。
【００８０】
(４)下ボタン７ｂが押下されると、図１０に示すように現在ＬＣＤ５に表示されているコマ(画像)のプリント枚数を減少させる。これにより、プリント枚数表示Ｇｐ２で示される枚数が減少することとなる。なお、プリント枚数のデフォルト値は１枚に設定されており、プリント枚数の下限値は０枚である。
【００８１】
(５)メニューボタン８ａが押下されると、図１０に示すようにプリントに関する各種設定を行うためのプリントメニュー画面をＬＣＤ５に表示する。
【００８２】
(６)削除ボタン８ｂが押下されると、現在ＬＣＤ５に表示されているコマ(画像)を削除して、次のコマを表示するプリント設定画面に移行する。この削除ボタン８ｂは、撮影された画像データを削除するファンクションキーとして機能する。ただし、削除ボタン８ｂが押下されても、プロテクトがかけられた、具体的には図４に示すファイル属性で読み取り専用属性に設定された画像の削除は行えないものとする。
【００８３】
例えば、図１１に示すコマ番号(ｎ−１)の画像を表示するプリント設定画面ＧＮ１２において、削除ボタン８ｂが押下された場合には、コマ番号(ｎ−１)の画像に対する削除処理ＳＴ１４を行い、コマ番号(ｎ)の画像を表示するプリント設定画面ＧＮ１１に移行する。
【００８４】
なお、図１１に示す最大のコマ番号(ｎ)の画像を表示するプリント設定画面ＧＮ１１において削除ボタン８ｂが押下された場合には、コマ番号(ｎ)の画像に対する削除処理ＳＴ１１を行った後、その削除処理後の最大コマ番号(ｎ−１)の画像を表示するプリント設定画面ＧＮ１２に移行する。
【００８５】
(７)保留ボタン８ｃが押下されると、現在ＬＣＤ５に表示されているコマ(画像)のプリント枚数を０枚にして、次のコマを表示するプリント設定画面に移行する。
【００８６】
すなわち、図１１に示すコマ番号(ｎ−１)の画像を表示するプリント設定画面ＧＮ１２において、保留ボタン８ｃが押下された場合には、コマ番号(ｎ−１)の画像に関するプリント注文内容をチェックし、プリントの注文枚数が１枚以上であるときには、コマ番号(ｎ−１)の画像に関する注文内容を削除、つまりプリント枚数を０枚に設定する処理ＳＴ１７を行う。そして、コマ番号(ｎ)の画像を表示するプリント設定画面ＧＮ１２に移行する。
【００８７】
なお、図１１に示すコマ番号(ｎ)の画像を表示するプリント設定画面ＧＮ１１において、保留ボタン８ｃが押下された場合には、コマ番号(ｎ)の画像に関するプリント注文ファイルの注文内容をチェックし、プリントの注文枚数が１枚以上であるときには、コマ番号(ｎ)の画像に関する注文内容を削除、つまりプリント枚数を０枚に設定する処理ＳＴ１６を行う。ここでは、コマ番号(ｎ)が最大で次のコマが存在しないため、コマ番号(ｎ)の画像を表示するプリント設定画面ＧＮ１１に復帰する。
【００８８】
(８)プリントボタン１３が押下されると、プリント設定画面で設定されている設定内容を確定させて、次のコマを表示するプリント設定画面に移行する。
【００８９】
すなわち、図１１に示すコマ番号(ｎ−１)の画像を表示するプリント設定画面ＧＮ１２において、プリントボタン８ｂが押下された場合には、コマ番号(ｎ−１)の画像に対する注文処理ＳＴ１３(後で詳述)を行い、コマ番号(ｎ)の画像を表示するプリント設定画面ＧＮ１１に移行する。
【００９０】
具体的には、例えば、図７のプリント設定画面Ｇｐが表示されている時に、プリントボタン１３が押下された場合は、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【００９１】
なお、図１１に示すコマ番号(ｎ)の画像を表示するプリント設定画面ＧＮ１１において、プリントボタン８ｂが押下された場合には、コマ番号(ｎ)の画像に対する注文処理ＳＴ１５(後で詳述)を行う。この場合には、コマ番号(ｎ)が最大で次のコマが存在しないため、コマ番号(ｎ)の画像を表示するプリント設定画面ＧＮ１１に復帰する。
【００９２】
(９)中央(実行)ボタン７ｅが押下されると、図１０に示すような拡大プリントプレビュー画面Ｇｐｗ(図１３参照)に移行する。拡大プリントプレビュー画面Ｇｐｗでは、表示倍率が１倍の画像Ｇｑが表示されるプリント設定画面Ｇｐ(図７参照)に対して、表示倍率が例えば２倍の画像Ｇｑｗが表示される一方、合計枚数表示Ｇｐ１や注文枚数表示Ｇｐ２などのプリント設定情報の表示はそのまま拡大されずに表示される。この拡大プリントプレビュー画面Ｇｐｗをユーザーが視認することによって、画像の詳細な確認が行える。
【００９３】
(１０)モード切替ボタン１１が押下されると、図１０に示すようにプリント設定画面から抜けて、例えばＲＡＭ５０ａに記憶されている遷移元モードの情報に基づき、プリント設定画面に移行する前の画面(例えば撮影モードのメニュー画面など)に遷移する。
【００９４】
(１１)シャッタボタン９が押下されると、図１０に示すように１コマ撮影モードに移行してライブビュー表示が行われる。
【００９５】
以下では、図１１のステップＳＴ１２、ＳＴ１３およびＳＴ１５に関する注文記録動作を説明する。
【００９６】
図１４は、コマ番号(ｎ)の画像に対するプリント注文記録の動作を示すフローチャートである。
【００９７】
まず、プリントボタン１３などが押下されると、メモリカード９０内にプリント注文ファイルが存在するかを判定する(ステップＳＰ１)。ここで、プリント注文ファイルが存在する場合には、ステップＳＰ２に進み、存在しない場合にはステップＳＰ４に進む。
【００９８】
ステップＳＰ２では、注文内容が変更されたかを判定する。例えば上ボタン７ａまたは下ボタン７ｂが押下されることにより、プリント枚数が増加または減少したかを判断する。ここで、注文内容が変更された場合には、ステップＳＰ３に進み、変更されていない場合には、本フローチャートを抜けてプリント注文記録の処理を終了する。
【００９９】
ステップＳＰ３では、プリント注文対象であるコマ番号(ｎ)の画像の注文内容を、変更された内容によってプリント注文ファイルを更新する。
【０１００】
ステップＳＰ４では、プリント注文ファイルを新規に作成する。これにより、プリントボタン１３が押下されてプリントモードに移行した場合には、メモリカード９０内にプリント注文ファイルが生成されることとなる。
【０１０１】
ステップＳＰ５では、プリント注文対象であるコマ番号(ｎ)の画像の注文内容をプリント注文ファイルに記録する。
【０１０２】
ステップＳＰ６では、プリント合計枚数を更新する。これにより、プリント設定画面における合計枚数表示Ｇｐ１の表示が変更される。
【０１０３】
このようにして、メモリカード９０に記録された撮影画像に対するプリント設定が可能となる。
【０１０４】
以上のデジタルカメラ１では、左ボタン７ｃや右ボタン７ｄを押下することによって、所望の各画像について少なくとも１枚のプリント注文を行えるため、注文漏れを防止できユーザーの利便性が向上することとなる。
【０１０５】
＜デジタルカメラ１全般の動作について＞
以上ではプリントモードに関する動作を説明したが、このプリントモードと他のモード（撮影モードや再生モード）との関係などデジタルカメラ１全般の動作について、以下で説明する。
【０１０６】
図１５は、デジタルカメラ１の基本的な動作を示す状態遷移図である。
【０１０７】
まず、デジタルカメラ１の電源がオフの状態から電源ボタン３が押下されるとＲＯＭ５０ｂに記憶されている起動時のモードを判別する状態ＳＴ３１に遷移する。なお、デジタルカメラ１の出荷時は撮影モードに設定されている。
【０１０８】
そして、状態ＳＴ３１で判別されたモードが設定される状態ＳＴ３２に移行する。ここで、デジタルカメラ１のモードとしては、上述したプリントモード、撮影モード（１コマ撮影モード、動画モード、連写モード）および再生モードがあるが、モード切替ボタン１１やプリントボタン１３の押下によって、これら５種類のモードの切替えを行える。この状態ＳＴ３２においてメニューボタン８ａが押下された場合には、各モードに応じた各種メニューの設定が行える画面をＬＣＤ５に表示する状態ＳＴ３３に移行する。
【０１０９】
一方、状態ＳＴ３２において、電源ボタン３が押下されると、現在設定されているモードをＲＯＭ５０ｂに記憶する状態ＳＴ３４を経由して、デジタルカメラ１の電源がオフされる。
【０１１０】
次に、上述した５種類のモードのうちプリントモードと他の４種類のモードとの関係を、状態遷移を表す図１６を参照して説明する。
【０１１１】
１コマ撮影モード、連写モード、動画モードおよび再生モードに設定された状態ＧＮ８１〜８４においては、モード切替ボタン１１の押下によってサイクリックにモード切替が行えるようになっている。なお、動画モードに設定された状態ＧＮ８３から再生モードに設定された状態ＧＮ８４に移行する際には、コマ番号の最も大きな撮影画像がＬＣＤ５に表示される。
【０１１２】
１コマ撮影モード、連写モードおよび動画モードに設定された状態ＧＮ８１〜８３において、プリントボタン１３が押下されると、後で詳述するエラーチェックＳＴ４１を経て、プリントモードに設定された状態ＧＮ８５に遷移する。ここで、状態ＧＮ８５に遷移した直後には、コマ番号の最も大きな撮影画像がＬＣＤ５に表示される。
【０１１３】
また、再生モードに設定された状態ＧＮ８４において、プリントボタン１３が押下されると、プリントモードに設定された設定ＧＮ８５に遷移する。ここで、状態ＧＮ８５に遷移した直後には、状態ＧＮ８４でＬＣＤ５に表示されていた再生画像と同一の画像が表示される。この状態ＧＮ８４において、シャッターボタン９が押下されると、１コマ撮影モードに設定された状態ＧＮ８１に移行する。
【０１１４】
なお、デジタルカメラ１では、特定のタイミングにおいて、プリントボタン１３が押下されてもプリントモードに遷移しない場合があるが、この点については後述する。
【０１１５】
プリントモードが設定される状態ＧＮ８５において、プリントボタン１３が押下されても、上述したようにプリント注文内容が更新される処理等が行われるが、プリントモードの設定は維持されることとなる。また、状態ＧＮ８５において、シャッターボタン９が押下される場合には、１コマ撮影モードに設定された状態ＧＮ８１に移行する。
【０１１６】
図１７は、上記の状態ＳＴ４１に対応するエラーチェックの動作を示すフローチャートである。
【０１１７】
まず、メモリカード９０に撮影画像が保存されているか否かを判定する（ステップＳＴ５１）。ここで、撮影画像が保存されている場合には、ステップＳＴ５２に進み、保存されていない場合には、ステップＳＴ５３に進む。
【０１１８】
ステップＳＴ５２では、コマ番号の最も大きな撮影画像を指定して画像ファイル（データ）を読み出す。そして、読出しが完了すると、プリントモードに設定された状態ＧＮ８５（図１６）に遷移する。なお、ステップＳＴ５２でプリントボタン１３が押下されても、プリントボタン１３の押下を無視してファイル読み出しを続ける。ステップＳＴ５２では、プリントモードに遷移させるためにコマ番号の最も大きな画像ファイルを読み出している。よって、その読み出し途中で、プリントボタン１３の押下操作を受け付けると仮定すると、再度、コマ番号の最も大きな画像ファイルの読出しを初めから開始しなければならず、結果的にプリントモードへ遷移するまでの処理時間が長くなってしまう。そこで、プリントモードへの遷移途中であるステップＳＴ５２では、プリントボタン１３の押下を無視することで、プリントモードへ遷移させたいというユーザーの意図を優先させて、迅速にプリントモードへ遷移させるのである。プリントボタン１３の押下を無視する具体的な方法については後述する。
【０１１９】
ステップＳＴ５３では、エラーチェックＳＴ４５に移行する前の遷移元のモード（１コマ撮影モード、連写モードまたは動画モード）を記憶する。
【０１２０】
ステップＳＴ５４では、「メモリカードに画像がありません」という警告表示をＬＣＤ５で行う。そして、２秒の経過、実行(中央)ボタン７ｅ、プリントボタン１３またはモード切替ボタン１１の押下に応答してステップＳＴ５３で記憶した遷移元のモードに復帰する。
【０１２１】
以上のエラーチェックの動作により、メモリカード９０内に撮影画像がない場合にプリントモードに移行するのを防止できる。
【０１２２】
次に、再生モードにおけるデジタルカメラ１の各状態において、プリントボタン１３が押下された場合の処理を、図１８に記載される各項目(１)〜(６)毎に説明する。
【０１２３】
(１)再生モードのメニュー画面（以下では「再生メニュー」ともいう）を表示中において、プリントボタン１３が押下されると、直ちにプリント設定画面Ｇｐ(図７)に移行する。
【０１２４】
(２)スライドショーの途中において、プリントボタン１３が押下されると、スライドショーを中断してプリント設定画面Ｇｐに移行する。
【０１２５】
(３)動画再生の途中において、プリントボタン１３が押下されると、動画再生を中断し、現在再生している動画の次のコマ(静止画)を表示するプリント設定画面Ｇｐに移行する。これは、動画はプリントの指定を行えないためである。なお、次の静止画が存在しない場合には、動画の前のコマ(静止画)を表示する。
【０１２６】
(４)コマ送りや拡大表示、画像処理等によるファイルアクセス(読み出し)の途中において、プリントボタン１３が押下されると、ファイルアクセスを中断して、プリント設定画面Ｇｐに移行する。なお、モードの遷移が途中の場合には、データ読み出しを優先する。
【０１２７】
ここで、このファイルアクセス（読み出し）の途中においてプリントモードへ遷移させるプリントボタン１３の押下操作を受け付け、プリントモードへ遷移させる動作フローについて説明する。
【０１２８】
図１９は、ファイルアクセス（読み出し）中におけるプリントモードへの遷移動作に関する動作フローを示すフローチャートである。まず、メモリカード９０内のファイルを読出すためのファイルアクセス、すなわち、メモリカード９０に対するファイルアクセス（読み出し）の要求が発生すると、ステップＳ１０１に進む。
【０１２９】
ステップＳ１０１では、ファイルアクセス中であることを報知するアクセスＬＥＤ１９の点灯が開始され、ステップＳ１０２に進む。
【０１３０】
ステップＳ１０２では、メモリカード９０内に記録されているファイルへの他のアクセスを遮断した状態、すなわちファイルをロックをした状態に設定され、ステップＳ１０３に進む。なお、全体制御部５０がファイルのロック制御を行う。
【０１３１】
ステップＳ１０３では、本動作フローの開始時に要求されたファイルアクセス（読み出し）に対応したファイルの読み出し処理が開始され、ステップＳ１０４に進む。
【０１３２】
ステップＳ１０４では、プリントボタン１３が押下されたか否かを判定する。ここで、プリントボタン１３が押下されたと判定されれば、ステップＳ１０５に進み、プリントボタン１３が押下されたと判定されなければ、ステップＳ１０８に進む。
【０１３３】
ステップＳ１０５では、ファイルの読み出し処理が直ちに中断されて、メモリカード９０内のファイルをロックした状態が解除され、ステップＳ１０６に進む。つまり、メモリカード９０内のファイルに対して種々のアクセスを受け付け得る状態となる。
【０１３４】
ステップＳ１０６では、ファイルアクセス中であることを報知するアクセスＬＥＤ１９が消灯されて、ステップＳ１０７に進む。
【０１３５】
ステップＳ１０７では、プリントボタン１３の押下に基づく処理、すなわち、プリントモードへの遷移を実行し、本動作フローを終了する。このように、ファイルの読み出し処理の途中にプリントボタン１３が押下された場合には、ファイルの読み出し処理を直ぐに止めて、プリントモードに移行し、例外的に、全体制御部５０によって、ファイルアクセスの実行中におけるプリント設定画面への遷移が許可される。これは、ファイルアクセスが読み出し処理によるものであれば、ファイルの読み出しが競合しても、ファイルが壊れることがないからである。そこで、ここでは、プリントモードに遷移させたいというユーザーの意図を優先させて、直ぐにプリントモードに遷移させる。その結果、容易かつ効率良くプリント設定を実施することができる。
【０１３６】
また、ステップＳ１０８では、ファイルの読み出し処理が完了したか否かを判定する。ここで、ファイルの読み出し処理が完了したと判定されれば、ステップＳ１０９に進み、ファイルの読み出し処理が完了したと判定されなければ、ステップＳ１０４に戻る。つまり、ファイルの読み出し処理が完了するまで、プリントボタン１３の押下に応答したプリントモードへの遷移の割り込みを許容しつつ、ファイルの読み出し処理を継続する。
【０１３７】
ステップＳ１０９では、メモリカード９０内のファイルをロックした状態が解除され、ステップＳ１１０に進む。つまり、メモリカード９０内のファイルに対して種々のアクセスを受け付け得る状態となる。
【０１３８】
ステップＳ１１０では、ファイルアクセス中であることを報知するアクセスＬＥＤ１９が消灯されて、本動作フローを終了する。
【０１３９】
(５)新たな画像作成のための画像処理やコピー、削除、プロテクトの設定、プリント注文ファイルの更新等によるファイルアクセス(書き込み)の途中において、プリントボタン１３が押下されても無視する。これは、ファイルが壊れるのを防止するためである。
【０１４０】
ここで、プリントモードへ遷移させるプリントボタン１３の押下操作を無視する動作について、ファイルアクセス（書き込み）の途中においてプリントボタン１３の押下操作を無視する動作フローを例にとって説明する。
【０１４１】
図２０は、ファイルアクセス（書き込み）中におけるプリントボタン１３の押下操作を無視する動作フローを示すフローチャートである。まず、メモリカード９０内にファイルを作成したりメモリカード９０内のファイルを更新したりするといった、ファイルを書き込むためのファイルアクセス、すなわち、メモリカード９０に対するファイルアクセス（書き込み）の要求が発生すると、ステップＳ１２１に進む。つまり、ファイルアクセスの要求が発生した状態、つまり、ファイルアクセスの実行開始の指示がなされた状態となると、ステップＳ１２１に進む。
【０１４２】
ステップＳ１２１では、ファイルアクセス中であることを報知するアクセスＬＥＤ１９の点灯が開始され、ステップＳ１２２に進む。
【０１４３】
ステップＳ１２２では、メモリカード９０内に記録されているファイルへの他のアクセスを遮断した状態、すなわちファイルをロックをした状態に設定され、ステップＳ１２３に進む。言い換えれば、ファイルの書き込み処理中では、ファイルへの他のアクセスを禁止する。
【０１４４】
ステップＳ１２３では、本動作フローの開始時に要求されたファイルアクセス（書き込み）に対応したファイルの書き込み処理が開始され、ステップＳ１２４に進む。
【０１４５】
ステップＳ１２４では、ファイルの書き込み処理が完了したか否かを判定する。ここで、ファイルの書き込み処理が完了したと判定されれば、ステップＳ１２５に進み、ファイルの書き込み処理が完了したと判定されなければ、ファイルの書き込み処理が完了するまでステップＳ１２４の判定を繰り返す。
【０１４６】
ステップＳ１２５では、メモリカード９０内のファイルをロックした状態が解除され、ステップＳ１２６に進む。つまり、メモリカード９０内のファイルに対して種々のアクセスを受け付け得る状態となる。
【０１４７】
ステップＳ１２６では、ファイルアクセス中であることを報知するアクセスＬＥＤ１９が消灯されて、本動作フローを終了する。
【０１４８】
ここで、メモリカード９０に対するファイルの書き込み処理中に、プリントモードへの遷移に伴う画像ファイルの読み出しのためのファイルアクセスが行われると仮定すると、ファイルアクセスが競合し、ファイルの書き込み処理が正しく行われない。例えば、ファイルが書き込み途中のままの状態となってしまい、実質的にファイルが壊れた状態となることが起こり得る。
【０１４９】
また、ファイルの書き込み時に新たなファイルを作成する際等には、図４に示すファイル管理テーブルＦＴの内容が更新される。そのため、ファイル管理テーブルＦＴの更新中に画像ファイルの読み出しのためのファイルアクセスが行われると、ファイル管理テーブルＦＴの更新が正しく行われず、その後、メモリカード９０内のファイルに対するアクセスが正しく行われなくなるといった不具合も生じ得る。つまり、メモリカード９０内の複数のファイルに対するアクセスが不能となる可能性もある。
【０１５０】
そこで、本実施形態に係るデジタルカメラ１では、メモリカード９０に対するファイルの書き込み処理中では、他のファイルアクセスを禁止して、プリントボタン１３が押下されても無視するのである。その結果、ファイルアクセスの競合に伴って、ファイルやファイル管理テーブルＦＴが実質的に壊れる等といった不具合を防止することができる。
【０１５１】
そして、メモリカード９０内の画像ファイルに対してプロテクトの設定を行う場合には、ファイル属性ＡＴを読み取り専用属性（Ｒ）に変更するための書き込み処理が行われるため、プロテクトの設定を行う処理（プロテクト処理）中にも、プリントボタン１３の押下を無視する。
【０１５２】
このように、まず、メモリカード９０に対するファイルアクセス（書き込み）の要求が発生すると、メモリカード９０に格納されるファイルに対するファイルアクセスの実行開始が指示された状態になったものと判別することができ、図２０に示す動作フローを開始する。つまり、全体制御部５０が、ファイルアクセス（書き込み）の要求が発生した状態、すなわち、ファイルアクセス（書き込み）の実行の開始指示がなされた状態となったか否かを判別することで、メモリカード９０に格納されるファイルに対するファイルアクセス（書き込み）の実行に関する状態を判別する。次に、全体制御部５０が、ファイルアクセスの実行に関する状態の判別結果に基づいて、ファイルアクセス（書き込み処理）の実行中には、プリント設定画面への遷移を禁止する。そして、ファイルアクセス（書き込み処理）の実行が終了した後に、上記遷移の禁止を解除して、プリント設定画面への遷移が許容される状態となる。このような構成とすることで、例えば、ファイルアクセスの競合を防止することができるため、ファイルが壊れるといった不具合等を防止することができる。その結果、プリント設定画面への遷移タイミングを適正化することができる。
【０１５３】
また、画像ファイルの削除処理が行われている途中においても、図２０に示したプリントボタン１３の押下操作を無視する動作と同様の動作が行われる。これは、画像ファイルを削除する処理の途中に、その削除中の画像ファイルを読み出そうとするのは矛盾するからである。よって、ここでは、このような矛盾する動作が並行して発生するのを防止する。特に、メモリカード９０内の全画像ファイルを削除する処理や全ファイルを削除するフォーマット処理が行われている最中には、プリント設定をする対象がないことになるため、プリントボタン１３の押下を無視する。なお、画像ファイルの削除処理が行われる場合におけるプリントボタン１３の押下操作を無視する動作フローは、図２０に示す動作フローにおけるファイルの書き込みが全てファイルの削除に置き換えられたものとなる。
【０１５４】
このように、メモリカード９０に記録されている撮影画像に対するプロテクト処理時や削除処理時に発生するファイルアクセスの実行中には、全体制御部５０によってプリント設定画面への遷移が禁止される。このような構成とすることで、例えば、ファイルアクセスが競合してファイルが壊れるといった事態を防止することが可能となり、削除中の撮影画像を読出すといった矛盾する動作が実施されることを防止することなどができる。すなわち、プリント設定画面への遷移タイミングを適正化することができる。
【０１５５】
また、上述したように、他のモードからプリントモードや再生モードへモード遷移する途中では、プリントボタン１３の押下操作を無視する。この場合には、図２０に示したプリントボタン１３の押下操作を無視する動作と同様の動作が行われる。つまり、モード遷移時にメモリカード９０に対するファイルアクセス（読み出し）が発生した場合には、全体制御部５０によって、プリント設定画面への遷移を禁止する。
【０１５６】
他のモードからプリントモードや再生モードへ遷移する際には、ファイルアクセス（読み出し）が行われるが、そのモード遷移の途中で、プリントボタン１３の押下操作を受け付けて、最初からプリント設定の対象となる撮影画像の読み出しを行うとすると、途中まで行ったファイルの読み出し処理が無駄になる。そこで、ここでは、モード遷移時には、プリントボタン１３の押下操作を誤操作とみなすことで、プリント設定画面への遷移を禁止し、途中まで行ったファイルの読み出し処理が無駄になるのを防止する。つまり、現在進行中のファイルの読み出し処理を優先させるのである。その結果、操作性を向上させることができる。
【０１５７】
(６)アフレコ(After Recording)の途中において、プリントボタン１３が押下されると、アフレコを中断して、中断前までの音声記録が完了した後に、アフレコの対象となっているコマのプリント設定画面Ｇｐに移行する。
【０１５８】
図２１および図２２は、再生モードにおけるデジタルカメラ１の動作を説明するための図である。これらの図において、参照符号がＧＮで始まるブロックはデジタルカメラの状態を示しており、参照符号がＳＴで始まるブロックは、デジタルカメラ１の処理を示している。
【０１５９】
図２１に示すように動画モードが設定される状態ＧＮ６１においてモード切替ボタン１１が押下されると、メモリカード９０に撮影画像が保存されているかを判定する処理ＳＴ６１を行う。この処理ＳＴ６１で、撮影画像が保存されている場合には、コマ番号が一番大きな画像を指定して画像ファイルを読み出す処理ＳＴ６３を行い、読み出しが完了すると、このコマ番号の画像を表示する再生モードに設定された状態ＧＮ３３に遷移する。なお、処理ＳＴ６３が行われている最中にプリントボタン１３が押下される場合でも無視して読み出し処理を継続する。ここでは、上述したように、図２０に示したプリントボタン１３の押下操作を無視する動作と同様の動作が行われる。
【０１６０】
一方、処理ＳＴ６１において撮影画像が保存されていない場合には、「メモリカードに画像がありません」という警告表示する状態ＧＮ６２に移行し、２秒後に動画モードに設定された状態ＧＮ６１に遷移する。なお、この状態ＧＮ６２において、プリントボタン１３が押下されても無視することとする。
【０１６１】
再生モードに設定された状態ＧＮ３３において、左ボタン７ｃ（または右ボタン７ｄ）が押下されると、前（または後）のコマ番号の画像を指定して画像ファイルを読み出す処理ＳＴ６４を行い、処理ＳＴ６４が完了すると、読み出された画像ファイルを表示する再生モードに設定された状態ＧＮ３３に遷移する。この処理ＳＴ６４において、プリントボタン１３が押下されると、画像ファイルの読み出しを中断して読み出し処理直前の画像を表示するプリントモードに設定された状態ＧＮ３７に遷移する。
【０１６２】
再生モードに設定された状態ＧＮ３３において、モード切替ボタン１１が押下される場合には、１コマ撮影モードに設定された状態ＧＮ３５に遷移する。また、状態ＧＮ３３において、サムネイルの形態で画像が表示されている場合に動画のコマを指定して実行（中央）ボタン７ｅを押下すると、指定されたコマの動画再生を行う状態ＧＮ３６に移行する。この状態ＧＮ３６においてプリントボタン１３が押下されると、次のコマ番号の静止画を表示するプリントモードが設定される状態ＧＮ３９に遷移する。
【０１６３】
再生モードに設定された状態ＧＮ３３において、メニューボタン８ａが押下されると、図２２に示す再生モードのメニュー画面が表示される状態ＧＮ３４に遷移する。ここで、メニューボタン８ａが押下される場合には、図２１に示す再生モードに設定された状態ＧＮ３３に復帰する。
【０１６４】
図２２に示すように再生メニューの表示状態ＧＮ３４において、メニュー項目である「プロテクト」を選択して実行(中央)ボタン７ｅが押下された場合には、プロテクトの設定処理ＳＴ６５を行い、プロテクト設定が完了した場合には、再生メニューの表示状態ＧＮ３４に復帰する。このプロテクト設定処理ＳＴ６５の最中においてプリントボタン１３が押下された場合でも無視してプロテクト設定を継続する。ここでは、上述したように、図２０に示したプリントボタン１３の押下操作を無視する動作が行われる。
【０１６５】
また、再生メニューの表示状態ＧＮ３４において、メニュー項目である「アフレコ」を選択して実行(中央)ボタン７ｅが押下された場合には、再生画像と音声記録のプログレスバーとを表示する状態ＧＮ４０に遷移する。この状態ＧＮ４０において、アフレコが終了すると、アフレコ音声ファイルをメモリカード９０内に作成して、画像ファイルと関連付けする処理ＳＴ６６を行う。そして、アフレコ音声ファイルの作成が完了すると、再生メニューを表示する状態ＧＮ３４に移行する。一方、状態ＧＮ４０において、プリントボタン１３が押下される場合には、アフレコを中断し、中断までの音声ファイルを作成して再生画像の画像ファイルと関連付けする処理ＳＴ６８を行って、この再生画像を表示するプリントモードに設定された状態ＧＮ３７(図２１)に移行する。
【０１６６】
また、図２２に示す再生メニューの表示状態ＧＮ３４において、メニュー項目である「フォーマット」を選択して実行(中央)ボタン７ｅが押下された場合には、フォーマットを実行する処理ＳＴ６７を行い、フォーマットが完了した場合には、再生メニューの表示状態ＧＮ３４に復帰する。このフォーマット処理ＳＴ６７の最中においてプリントボタン１３が押下された場合でもこれを無視してフォーマット処理を継続する。ここでは、上述したように、図２０に示したプリントボタン１３の押下操作を無視する動作が行われる。
【０１６７】
また、再生メニューの表示状態ＧＮ３４において、メニュー項目である「スライドショー」を選択して実行ボタン７ｅが押下された場合には、スライドショーを実行する状態ＧＮ３８に移行する。この状態ＧＮ３８においてスライドショーが終了した場合、およびメニューボタン８ａが押下された場合には、再生メニューの表示状態ＧＮ３４に遷移する。また、状態ＧＮ３８において、プリントボタン１３が押下された場合には、プリント設定画面を表示するプリントモードに設定された状態ＧＮ３７(図２１)に遷移する。
【０１６８】
また、図２２に示す再生メニューの表示状態ＧＮ３４において、プリントボタン１３が押下された場合には、プリント設定画面を表示するプリントモードに設定された状態ＧＮ３４(図２１)に移行する。
【０１６９】
以上では再生モードとプリントモードとの関係を説明したが、以下では、再生モード以外の撮影モード、具体的には１コマ撮影モード、連写モードおよび動画モードにおけるデジタルカメラ１の各状態において、プリントボタン１３が押下された場合の処理を、図２３に記載される各項目(１)〜(８)毎に説明する。
【０１７０】
(１)ライブビュー表示中において、プリントボタン１３が押下されると、直ちにプリント設定画面Ｇｐ(図７)に移行する。ただし、ライブビューにおいてＡＥ評価値が取得される場合には、これを破棄する。
【０１７１】
(２)シャッターボタン９が半押し（Ｓ１状態）されてＡＦが行われる最中において、プリントボタン１３が押下されると、撮影レンズ２におけるＡＦレンズの駆動を中断して、直ちにプリント設定画面Ｇｐに移行する。
【０１７２】
(３)シャッターボタン９が半押し（Ｓ１状態）されＡＦが完了した後において、プリントボタン１３が押下されると、取得したＡＦ評価値を破棄して、直ちにプリント設定画面Ｇｐに移行する。
【０１７３】
(４)シャッターボタン９が全押し（Ｓ２状態）された後で、撮影画像の記録途中または連写の谷間においては、プリントボタン１３の押下によってＲＡＭ５０ａ内に記憶されている画像を記録し、記録完了後にプリント設定画面Ｇｐに移行する。
【０１７４】
ここでは、アフタービューに係る撮影画像の記録処理に伴うファイルアクセス（書き込み）が生じるが、ユーザーの操作性を考慮して、例外的に、図２０で示した動作とは異なる動作を行う。具体的には、ファイルアクセス中には、プリントボタン１３が押下されても直ぐにはプリントモードへ遷移せず、ファイルアクセス（書き込み）の完了後にプリントモードに遷移する。すなわち、プリントボタン１３が押下されたことを記憶しておき、ファイルアクセスの完了後に、プリントモードへ直ちに遷移する。
【０１７５】
ここで、ファイルアクセス（書き込み）中にプリントボタン１３が押下されたことを一時的に記憶しておき、ファイルアクセスの完了後にプリントモードに遷移する動作フローについて説明する。
【０１７６】
図２４は、ファイルアクセス（書き込み）中におけるプリントボタン１３の押下操作を一時的に記憶してファイルアクセス完了後にプリントモードに遷移させる動作フローを示すフローチャートである。まず、メモリカード９０内に撮影画像を記録するためのファイルアクセス（書き込み）の要求が発生すると、ステップＳ１４１に進む。
【０１７７】
ステップＳ１４１では、ファイルアクセス中であることを報知するアクセスＬＥＤ１９の点灯が開始され、ステップＳ１４２に進む。
【０１７８】
ステップＳ１４２では、メモリカード９０内に記録されているファイルへの他のアクセスを遮断した状態、すなわちファイルをロックをした状態に設定され、ステップＳ１４３に進む。言い換えれば、ファイルの書き込み処理中では、ファイルへの他のアクセスを禁止する。
【０１７９】
ステップＳ１４３では、本動作フローの開始時に要求されたファイルアクセス（書き込み）に対応したファイルの書き込み処理が開始され、ステップＳ１４４に進む。
【０１８０】
ステップＳ１４４では、プリントボタン１３が押下されたか否かを判定する。ここで、プリントボタン１３が押下されたと判定されれば、ステップＳ１４５に進み、プリントボタン１３が押下されたと判定されなければ、ステップＳ１４６に進む。
【０１８１】
ステップＳ１４５では、プリントボタン１３が押下されたことをＲＡＭ５０ａ内に一時的に記憶し、ステップＳ１４６に進む。
【０１８２】
ステップＳ１４６では、ファイルの書き込み処理が完了したか否かを判定する。ここで、ファイルの書き込み処理が完了したと判定されれば、ステップＳ１４７に進み、ファイルの書き込み処理が完了したと判定されなければ、ファイルの書き込み処理が完了するまでステップＳ１４４からＳ１４６までの処理を繰り返す。なお、ステップＳ１４４からＳ１４６までの処理を繰り返すときに、ステップＳ１４４で一度プリントボタン１３が押下されたと判定されて、ステップＳ１４５でプリントボタン１３が押下されたことを一度記憶すれば、その後は、重複してステップＳ１４５の処理を行う必要性がないため、ステップＳ１４４では常にプリントボタン１３が押下されなかったものと判定する。
【０１８３】
ステップＳ１４７では、メモリカード９０内のファイルをロックした状態が解除され、ステップＳ１４８に進む。つまり、メモリカード９０内のファイルに対して種々のアクセスを受け付け得る状態となる。
【０１８４】
ステップＳ１４８では、ファイルアクセス中であることを報知するアクセスＬＥＤ１９が消灯され、ステップＳ１４９に進む。
【０１８５】
ステップＳ１４９では、ステップＳ１４５においてプリントボタン１３が押下されたことを記憶していれば、その記憶内容（プリントボタン１３の押下）に基づいた処理、すなわち、プリントモードへの遷移動作（エラーチェックの処理を含む）を実行する。そして、本動作フローを終了する。なお、ステップＳ１４９では、ステップＳ１４５においてプリントボタン１３が押下されたことを記憶していなければ、何も処理を行わず、本動作フローを終了する。
【０１８６】
このように、まず、メモリカード９０に対するファイルアクセス（書き込み）の要求が発生すると、メモリカード９０に格納されるファイルに対するファイルアクセスの実行開始が指示された状態になったものと判別することができ、図２４に示す動作フローを開始する。つまり、全体制御部５０が、ファイルアクセス（書き込み）の要求が発生した状態、すなわち、ファイルアクセス（書き込み）の実行の開始指示がなされた状態となったか否かを判別することで、メモリカード９０に格納されるファイルに対するファイルアクセス（書き込み）の実行に関する状態を判別する。次に、全体制御部５０の制御下で、ファイルアクセスの実行に関する状態の判別結果に基づいて、ファイルアクセスの実行中には、プリント設定画面への遷移を禁止するとともに、ユーザーによってプリントボタン１３の押下操作がなされたことを情報（操作情報とも称する）として一時的に記憶し得る状態となる。そして、ファイルアクセスの終了後に、一時的に記憶されている操作情報に基づいて、ＬＣＤ５による表示画面をプリント設定画面に遷移させる。このような構成とすることで、例えば、ファイルアクセスの競合を防止することができるため、ファイルが壊れるといった不具合等を防止することができる。すなわち、プリント設定画面への遷移タイミングを適正化することができる。また、ユーザーによるプリントボタン１３の押下操作を全く無視するのではなく、その操作に基づいた動作が行われるため、出来るだけユーザーの意図を反映させた操作性の良いデジタルカメラとすることができる。
【０１８７】
なお、図２０および図２４で示す動作フローのいずれを行うかについては、全体制御部５０が、ファイルの書き込み動作の内容を識別することで、決定することができる。
【０１８８】
(５)シャッタボタン９が全押し（Ｓ２状態）された後で、撮影された画像がＬＣＤ５に表示されるアフタービュー表示中（「記録する」／「記録しない」の選択肢が表示される状態）においては、プリントボタン１３の押下によってアフタービュー表示されている画像を記録し、記録完了後にプリント設定画面Ｇｐに移行する。ここでは、アフタービューに係る撮影画像に対してプリント設定を行いたいという意思をユーザーが持っているであろうとの考えから、アフタービューに係る撮影画像の記録処理を完了させてから、その記録処理が完了した後にアフタービューに係るプリント設定画面Ｇｐに移行させる。ここでは、図２４で示したようにプリントボタン１３の押下操作を一時的に記憶してファイルアクセス完了後にプリントモードに遷移させる動作が行われる。
【０１８９】
(６)セルフタイマー動作中において、プリントボタン１３が押下されると、セルフタイマーをキャンセルして、プリントモードに移行する。
【０１９０】
(７)撮影モードのメニュー画面（以下では「撮影メニュー」ともいう）の表示中において、プリントボタン１３が押下されると、直ちにプリント設定画面Ｇｐに移行する。
【０１９１】
(８)動画モードの動画撮影中において、プリントボタン１３が押下されると、動画撮影を終了させて、プリント設定画面Ｇｐに移行する。このプリント設定画面では、撮影された動画を表示せず、前のコマの静止画を表示する。
【０１９２】
以下では、１コマ撮影モード、連写モードおよび動画モードを含む撮影モードにおけるデジタルカメラ１の動作について、１コマ撮影モードにおける動作を代表例として説明する。
【０１９３】
図２５は、１コマ撮影モードにおけるデジタルカメラ１の動作を説明するための図である。本図において、参照符号がＧＮで始まるブロックはデジタルカメラの状態を示しており、参照符号がＳＴで始まるブロックは、デジタルカメラ１の処理を示している。
【０１９４】
１コマ撮影モードに設定され、ライブビュー表示が行われている状態ＧＮ４１において、シャッターボタン９が半押しされる場合には、ＡＦ・ＡＥ・ＡＷＢの各処理ＳＴ７１を行い、この処理が完了するとＡＦ・ＡＥ・ＡＷＢ評価値が取得された状態ＧＮ４２に移行する。そこで、１コマ撮影モードに設定された状態ＧＮ４１またはＡＦ・ＡＥ・ＡＷＢの処理ＳＴ７１中において、プリントボタン１３が押下されると、図２３に示す動作と同様のエラーチェック処理ＳＴ７４を行って、プリントモードに移行する。
【０１９５】
また、１コマ撮影モードに設定された状態ＧＮ４１において、メニューボタン８ａが押下されると、後述する撮影メニューが表示される状態に遷移する。
【０１９６】
ＡＦ・ＡＥ・ＡＷＢ評価値の取得状態ＧＮ４２において、プリントボタン１３が押下されると、ＡＦ・ＡＥ・ＡＷＢ評価値を破棄する処理ＳＴ７２を行った後にエラーチェックの処理ＳＴ７４を行う。一方、状態ＧＮ４２において、シャッターボタン９が全押しされると、セルフタイマーが設定されているかを判定する処理ＳＴ７３を行う。ここで、セルフタイマーが設定されている場合には、セルフタイマーカウント中の状態ＧＮ４３に移行する。一方、セルフタイマーが設定されていない場合には、露光し、撮影画像データをＲＡＭ５０ａに格納して画像処理を行う状態ＧＮ４４に移行する。
【０１９７】
セルフタイマーカウント中の状態ＧＮ４３において、プリントボタン１３が押下されると、セルフタイマーをキャンセルしてエラーチェックの処理ＳＴ７４に移行する。一方、状態ＧＮ４３において、カウントアップすると、露光などを行う状態ＧＮ４４に移行する。
【０１９８】
露光などを行う状態ＧＮ４４において、プリントボタン１３が押下されても無視して、露光などの処理を継続する。また、状態ＧＮ４４において、画像処理が完了すると、アフタービューが設定されているかを判定する処理ＳＴ７５に移行する。
【０１９９】
判定処理ＳＴ７５において、アフタービューが設定されている場合には、サムネイル画像データＳＤ(図４)に関する表示用のサムネイル画像を生成する処理ＳＴ７６を行って撮影画像に関するサムネイル画像を表示する状態ＧＮ４５に移行する。一方、判定処理ＳＴ７５において、アフタービューが設定されていない場合には、メモリカード９０に対する撮影画像の記録処理ＳＴ７９を行った後に１コマ撮影モードに設定された状態ＧＮ４１に移行してライブビュー表示を行う。なお、記録処理ＳＴ７９の最中にプリントボタン１３が押下された場合には、メモリカード９０に対する撮影画像の記録処理を行って、プリントモードに移行する。つまり、ここでは、図２４で示したように、プリントボタン１３の押下操作を一時的に記憶して、ファイルアクセス完了後にプリントモードに遷移させる動作が行われる。
【０２００】
サムネイル画像の表示状態ＧＮ４５において、プリントボタン１３が押下された場合には、メモリカード９０に対する撮影画像の記録処理ＳＴ７７を行って、プリントモードに移行する。つまり、ここでも、図２４で示したようにプリントボタン１３の押下操作を一時的に記憶して、ファイルアクセス完了後にプリントモードに遷移させる動作が行われる。
【０２０１】
また、サムネイル画像の表示状態ＧＮ４５において、一定時間（例えば３秒）の間にユーザの操作がない場合や、画像記録がユーザによって選択された場合には、記録処理ＳＴ７９に移行する。
【０２０２】
また、サムネイル画像の表示状態ＧＮ４５において、画像の削除が選択された場合には、ＲＡＭ５０ａ内の撮影画像データをクリアして１コマ撮影モードの設定画面ＧＮ４１に移行してライブビュー表示を行う。
【０２０３】
以上のように、本発明の実施形態に係るデジタルカメラ１では、メモリカード９０に対するファイルアクセス（書き込み）の要求が発生した状態となったか否かを判別することで、ファイルアクセスの実行に関する状態を判別する。そして、その判別結果に基づいて、画像処理やコピー、削除、プロテクトの設定、プリント注文ファイルの更新等によるファイルアクセス（書き込み）の実行中には、プリントボタン１３の押下操作に応答したプリントモードへの遷移が禁止される。その結果、例えば、ファイルアクセスの競合を防止することで、ファイルが壊れるといった不具合等を防止できる。したがって、プリント設定画面への遷移タイミングを適正化することができる。
【０２０４】
また、ファイルアクセスの実行に関する状態を判別することで、ファイルアクセスの実行中には、プリントボタン１３の押下操作に応答したプリントモードへの遷移を禁止するが、プリントボタン１３が押下されたことを一時的に記憶しておき、ファイルアクセスの終了後に、一時的な記憶内容に基づいて、ＬＣＤ５による表示画面がプリント設定画面に直ちに遷移される場合もある。このような場合にも、例えば、ファイルアクセスの競合を防止することで、ファイルが壊れるといった不具合等を防止することができる。したがって、プリント設定画面への遷移タイミングを適正化することができる。
【０２０５】
＜変形例＞
以上、この発明の実施形態について説明したが、本発明は上述した内容のものに限定されるものではなく、種々の変形例が適用可能であることは勿論である。
【０２０６】
◎例えば、上述した実施形態においては、メモリカード９０に対するファイルアクセス（書き込み）中にプリントボタン１３が押下された場合には、適宜、プリントボタン１３の押下を無視したり、ファイルアクセス完了後にプリントモードへ移行させたりしたが、これに限られるものではなく、例えば、ファイルアクセス（書き込み）中には、常にプリントボタン１３の押下を無視しても良い。また、ファイルアクセス（書き込み）中には、常に、プリントボタン１３の押下がなされたことを一時的に記憶しておき、ファイルアクセス完了後にプリントモードへ直ちに移行するようにしても良い。さらに、設計思想により、適宜、ファイルアクセス（書き込み）中にプリントボタン１３が押下された場合に、プリントボタン１３の押下を無視したり、ファイルアクセス完了後に直ちにプリントモードへ移行させたりするようにするようにしても良い。このような構成とすることで、ファイルが実質的に壊れたりするような不具合の防止と、ユーザーの操作性との両立を図ることが可能となる。
【０２０７】
◎また、上述した実施形態では、メモリカード９０に対するファイルの書き込みや読み出し等によってファイルアクセスが発生したが、これに限られず、メモリカード９０をメモリカード装着部に着装する際にも、メモリカード９０を受け付けるためにメモリカード９０内のファイルに対するファイルアクセスが発生する。このようなメモリカード９０の受け付け中に、仮にプリントボタン１３の押下操作を受け付けるとすると、メモリカード９０の受け付け動作が未だ終了していないため、プリント設定する対象となる撮影画像を読み出すことができない。そして、メモリカード９０の受け付け動作を再度最初から開始しなければならない状況も起こり得る。つまり、読み出し処理に無駄が生じる。
【０２０８】
そこで、メモリカード９０の装着時には、プリントボタン１３の押下操作を誤操作とみなし、全体制御部５０がプリント設定画面への遷移を禁止することで、途中まで行ったメモリカード９０の受け付け処理が無駄になるのを防止する。そうすることで、結果として、ユーザーの意図に沿ったプリントモードへの遷移をより短い時間で実行することが可能となる。すなわち、操作性を向上させることができる。
【０２０９】
◎また、上述した実施形態では、プリントボタン１３の押下に応答して、ＬＣＤ５に表示される表示画面がプリント設定画面に遷移したが、これに限られるものではなく、再生モードにおいてＬＣＤ５に撮影画像を再生表示した状態で、プリントボタン１３を押下すると、外部のプリンターから再生表示に係る撮影画像をプリントアウトすることができるような別構成も考えられる。
【０２１０】
このような別構成の場合には、プリントボタンの押下に応答して、メモリカード内の画像データを読み出して、外部のプリンターに画像データを転送するため、メモリカード内のファイルに対するファイルアクセスが発生する。よって、もしも、ファイルアクセス（書き込み）の進行中に、プリントボタンが押下されると、ファイルアクセスの競合が発生して、ファイルが実質的に壊れる可能性がある。また、このようなプリンターから画像をプリントアウトする場合には、画像データをプリンターに転送する前に、表示画像に重畳させてプリントサイズや枚数等を設定するためのプリント条件に係る設定画面（プリント条件設定画面）が表示されることが一般的である。そこで、メモリカードに対するファイルアクセス（書き込み）が進行中の場合には、プリントボタン１３の押下操作に応答して、プリント条件設定画面に遷移しないようにすることで、ファイルアクセスの競合を防止することができる。つまり、メモリカードに対するファイルアクセス（書き込み）が進行中の場合には、上述した実施形態と同様に、プリントボタンの押下操作を無視したり、プリントボタンが押下操作されたことを一時記憶して進行中のファイルアクセスが完了した後に外部のプリンターに画像データを転送するためのファイルアクセスを行うようにしたりすることが好ましい。なお、ここで言うプリント条件設定画面が表示された状態は、プリントの対象となる撮影画像上にプリント条件設定画面が重畳表示されるため、プリント設定の対象となる撮影画像を含むプリント設定をするためのプリント設定画面が表示された状態とも言える。
【０２１１】
なお、プリンターに画像データを転送する前に事前にプリント条件設定画面が表示されないデジタルカメラを対象とした場合には、メモリカードに対するファイルアクセス（書き込み）中には、上述した実施形態と同様に、プリントボタンの押下操作を無視したり、プリントボタンが押下操作されたことを一時記憶して進行中のファイルアクセスが完了した後に外部のプリンターに画像データを転送するためのファイルアクセスを行うようにすることが好ましい。
【０２１２】
◎また、上述した実施形態では、全体制御部５０が、ファイルアクセスの要求が発生した状態、すなわち、ファイルアクセスの実行の開始指示がなされた状態となったか否かを判別することで、メモリカード９０に格納されるファイルに対するファイルアクセスの実行に関する状態を判別したが、これに限られるものではなく、例えば、ファイルアクセスの要求に対応するファイルの書き込み処理を開始すると同時に、ファイルアクセスが実行されている状態になったものと判別することで、メモリカード９０に格納されるファイルに対するファイルアクセスの実行に関する状態を判別することができる。そして、ここでは、ファイルの書き込み処理が開始され、ファイルアクセスが実行されている状態にあると判別される場合には、全体制御部５０の制御下で、プリントボタン１３の押下操作に応答したプリント設定画面への遷移が禁止されるようにすることができる。
【図面の簡単な説明】
【０２１３】
【図１】本発明の実施形態に係るデジタルカメラの外観構成を示す図である。
【図２】デジタルカメラの外観構成を示す図である。
【図３】デジタルカメラの内部構成を示す図である。
【図４】メモリカードのデータ配列を示す図である。
【図５】プリント注文ファイルを説明するための図である。
【図６】プリント注文ファイルを説明するための図である。
【図７】プリント設定画面を説明するための図である。
【図８】プリント設定画面を説明するための図である。
【図９】プリントモードにおける動作を説明するための図である。
【図１０】プリントモードにおける動作を説明するための図である。
【図１１】プリントモードにおける動作を説明するための図である。
【図１２】プリントモードにおける動作を説明するための図である。
【図１３】拡大プリントプレビュー画面を説明するための図である。
【図１４】プリント注文記録の動作を示すフローチャートである。
【図１５】デジタルカメラの基本的な動作を示す状態遷移図である。
【図１６】プリントモードと他の４種類のモードとの関係を説明するための図である。
【図１７】エラーチェックの動作を示すフローチャートである。
【図１８】再生モードにおけるデジタルカメラの各状態においてプリントボタンが押下された場合の処理を説明するための図である。
【図１９】ファイルアクセス（読み出し）中におけるプリントモードへの遷移動作に関する動作フローを示すフローチャートである。
【図２０】ファイルアクセス（書き込み）中におけるプリントボタン１３の押下操作を無視する動作フローを示すフローチャートである。
【図２１】再生モードにおけるデジタルカメラの動作を説明するための図である。
【図２２】再生モードにおけるデジタルカメラの動作を説明するための図である。
【図２３】撮影モードにおけるデジタルカメラの各状態においてプリントボタンが押下された場合の処理を説明するための図である。
【図２４】ファイルアクセス（書き込み）中におけるプリントモードに遷移させる動作フローを示すフローチャートである。
【図２５】１コマ撮影モードにおけるデジタルカメラ１の動作を説明するための図である。
【符号の説明】
【０２１４】
１    デジタルカメラ
５  液晶表示部（ＬＣＤ）
７ａ  上ボタン
７ｂ  下ボタン
７ｃ  左ボタン
７ｄ  右ボタン
７ｅ  中央(実行)ボタン
８ａ  メニューボタン
８ｂ  液晶モニターボタン(削除ボタン)
８ｃ  フラッシュモードボタン(保留ボタン)
９  シャッタボタン
１１  モード切替ボタン
１３  プリントボタン
５０  全体制御部
５０ａ  ＲＡＭ
５０ｂ  ＲＯＭ
９０  メモリカード
Ｇｐ  プリント設定画面
【図１】
2005278100.tif 000003
【図２】
2005278100.tif 000004
【図３】
2005278100.tif 000005
【図４】
2005278100.tif 000006
【図５】
2005278100.tif 000007
【図６】
2005278100.tif 000008
【図７】
2005278100.tif 000009
【図８】
2005278100.tif 000010
【図９】
2005278100.tif 000011
【図１０】
2005278100.tif 000012
【図１１】
2005278100.tif 000013
【図１２】
2005278100.tif 000014
【図１３】
2005278100.tif 000015
【図１４】
2005278100.tif 000016
【図１５】
2005278100.tif 000017
【図１６】
2005278100.tif 000018
【図１７】
2005278100.tif 000019
【図１８】
2005278100.tif 000020
【図１９】
2005278100.tif 000021
【図２０】
2005278100.tif 000022
【図２１】
2005278100.tif 000023
【図２２】
2005278100.tif 000024
【図２３】
2005278100.tif 000025
【図２４】
2005278100.tif 000026
【図２５】
2005278100.tif 000027